【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
凝集混和槽（５）の原液中に凝集剤を添加して懸濁物質のフロックを形成させ、その原液を脱水機（１２）に供給する汚泥処理装置において、脱水機（１２）に原液を供給する原液供給管（１３）中のフロックの大きさを撮影し、輝度信号を電気信号に変換させ、電気信号からフロックの大きさを２値化させると共に、フロックの２値画像からのフロック１個当たりの平均面積を計算し、その平均解析面積とあらかじめ設定したフロックの基準面積を比較して適正値を計算し、フロックの形成状況に基づき比例設定値の凝集剤注入率を制御することを特徴とする凝集剤注入制御方法。
【請求項２】
上記原液供給管（１３）中のフロックを所定時間ごとに撮影し、２値化処理したデータの数回分を平均し、そのフロックの解析面積とあらかじめ設定してある基準面積と比較して適正値を計算し、凝集剤注入ポンプ（９）の回転数を増減させて比例設定値の凝集剤注入率を変更し、数分間後に再測定することを特徴とする請求項１に記載の凝集剤注入制御方法。
【請求項３】
上記原液中に含まれる懸濁物質量の変動に対する凝集剤注入率を変更して、フロックの平均解析面積と基準面積を比較し、平均解析面積が基準面積より大きい時には、凝集剤注入ポンプ（９）の回転数を減少させ、平均解析面積が基準面積の上限値以内に達した時に、現時点での凝集剤注入率を維持すると共に、まだ平均解析面積が基準面積より大きくて、この操作を繰り返して凝集剤注入率が設定した下限値に達した時には、凝集剤注入ポンプ（９）の回転数を維持しながら異常信号を出すことを特徴とする請求項１または２に記載の凝集剤注入制御方法。
【請求項４】
上記原液中の懸濁物質量の変動に対する凝集剤注入率を変更して、フロックの平均解析面積と基準面積を比較し、平均解析面積が基準面積より小さい時には、凝集剤注入ポンプ（９）の回転数を増加させ、平均解析面積が基準面積の下限値以内に達した時に、現時点での凝集剤注入率を維持すると共に、まだ平均解析面積が基準面積より小さくて、この操作を繰り返して凝集剤注入率が設定した上限値に達した時には、凝集剤注入ポンプ（９）の回転数を維持しながら異常信号を出すことを特徴とする請求項１乃至３の何れか１項に記載の凝集剤注入制御方法。
【請求項５】
上記脱水機（１２）に一定の原液量を供給する時には、フロックの平均解析面積と基準面積を比較し、平均解析面積が基準面積より大きければ、凝集剤注入率を減少させ、平均解析面積が基準面積の上限値以内に達した時には、現時点での凝集剤注入率を維持すると共に、上記操作を繰り返して凝集剤注入率が設定した下限値に達した時には、凝集剤注入ポンプ（９）の回転数を維持しながら異常信号を出すことを特徴とする請求項１または２に記載の凝集剤注入制御方法。
【請求項６】
上記脱水機（１２）に一定の原液量を供給する時には、フロックの平均解析面積と基準面積を比較し、平均解析面積が基準面積より小さければ、凝集剤注入率を増加させ、平均解析面積が基準面積の下限値以内に達した時に、現時点での凝集剤注入率を維持すると共に、上記操作を繰り返して凝集剤注入率が設定した上限値に達した時には、凝集剤注入ポンプ（９）の回転数を維持しながら異常信号を出すことを特徴とする請求項１、２、５のいずれか１項に記載の凝集剤注入制御方法。
【請求項７】
上記演算したフロックの平均解析面積が基準面積より大きい時には、凝集剤注入率を減少して、同時に凝集混和槽（５）の撹拌機（１１）の回転数を増加させ、平均解析面積が基準面積の上限値以内に達した時に、現時点での凝集剤注入率と撹拌機（１１）の回転数を維持すると共に、上記操作を繰り返し、凝集剤注入率が設定した下限値に達した時には、凝集剤注入ポンプ（９）と撹拌機（１１）の回転数を維持しながら異常信号を出すことを特徴とする請求項１、２、３、５の何れか１項に記載の凝集剤注入制御方法。
【請求項８】
上記演算したフロックの解析面積が基準面積より小さい時には、凝集剤注入率を増加させ、同時に凝集混和槽（５）の撹拌機（１１）の回転数を減少し、フロックの解析面積が基準面積の下限値以内に達した時に、現時点での凝集剤注入率と撹拌機（１１）の回転数を維持すると共に、上記操作を繰りし、凝集剤注入率が設定した上限値に達した時には、凝集剤注入ポンプ（９）と撹拌機（１１）の回転数を維持しながら異常信号を出すことを特徴とする請求項１、２、４、６の何れか１項に記載の凝集剤注入制御方法。
【請求項９】
原液と凝集剤を密閉状の凝集混和槽（５）に供給し、原液中に含まれる懸濁物質のフロックを形成させ、その原液を凝集混和槽（５）のタンク圧で脱水機（１２）に供給する原液供給装置において、脱水機（１２）に連結した原液供給管（１３）に検視窓（１４）を設け、検視窓（１４）に懸濁物質のフロックの大きさを撮影するテレビカメラ（１５）を配設し、撮影したフロック画像を２値化してフロック１個当たりの平均解析面積を積算する演算装置（１７）を設けると共に、積算したフロックの平均解析面積とあらかじめ設定した基準面積を比較して、フロックの形成状況に基づき指令信号を発信するシーケンサー比例制御（２２）と、指令信号に基づき回転数を制御する凝集剤注入ポンプ（９）を設けたことを特徴とする凝集剤注入制御装置。
【請求項１０】
上記原液中に含まれる懸濁物質量の変動に対する比例設定値の凝集剤注入率を変更し、原液供給管（１３）のフロック１個当たりの平均解析面積と基準面積を比較して、凝集剤注入ポンプ（９）の回転数を制御すると共に、シーケンサー比例制御（２２）に異常信号装置（２３）を併設し、凝集剤注入率の上限値と下限値で異常信号を発信させることを特徴とする請求項９に記載の凝集剤注入制御装置。
【請求項１１】
上記脱水機（１２）に一定の原液量を供給する時には、原液供給管（１３）のフロックの平均解析面積と基準面積を比較し、凝集剤注入ポンプ（９）の回転数を制御すると共に、シーケンサー比例制御（２２）に異常信号装置（２３）を併設し、凝集剤注入率の上限値と下限値で異常信号を発信させることを特徴とする請求項９に記載の凝集剤注入制御装置。
【請求項１２】
上記フロックの平均解析面積と基準面積を比較して、平均解析面積が基準面積より大きい時には、凝集剤注入ポンプ（９）の回転数を増加させ，同時に凝集混和槽（５）の撹拌機（１１）の回転数を減少させると共に、フロックの平均解析面積が基準面積より小さい時には、凝集剤注入ポンプ（９）の回転数を減少させ，同時に、撹拌機（１１）の回転数を増加させることを特徴とする請求項９乃至１１の何れか１項に記載の凝集剤注入制御装置。
【手続補正２】
【補正対象書類名】明細書
【補正対象項目名】００１０
【補正方法】変更
【補正の内容】
【００１０】
凝集剤注入制御方法の請求項６に記載の発明は、脱水機に一定の原液量を供給する時には、フロックの平均解析面積と基準面積を比較し、平均解析面積が基準面積より小さければ、凝集剤注入率を増加させ、平均解析面積が基準面積の下限値以内に達した時に、現時点での凝集剤注入率を維持すると共に、上記操作を繰り返して凝集剤注入率が設定した上限値に達した時には、凝集剤注入ポンプの回転数を維持しながら異常信号を出すものである。
【手続補正３】
【補正対象書類名】明細書
【補正対象項目名】００１２
【補正方法】変更
【補正の内容】
【００１２】
凝集剤注入制御方法の請求項８に記載の発明は、演算したフロックの解析面積が基準面積より小さい時には、凝集剤注入率を増加させ、同時に凝集混和槽の撹拌機の回転数を減少し、フロックの解析面積が基準面積の下限値以内に達した時に、現時点での凝集剤注入率と撹拌機の回転数を維持すると共に、上記操作を繰り返し、凝集剤注入率が設定した上限値に達した時には、凝集剤注入ポンプと撹拌機の回転数を維持しながら異常信号を出すものである。